(57)【要約】【課題】乗車中に乗客が見て楽しく面白く感じるコンテンツを表示するエレベータを提供することを課題とする。【解決手段】エレベータのカゴおよび各乗場フロアの少なくとも一方にコンテンツを表示する表示器と、前記表示器に表示するコンテンツを記憶する記憶手段とを備えたエレベータであって、前記記憶手段に記憶するコンテンツは、映画の予告編もしくはテレビ番組の予告編である。【選択図】        図1
2005179006.tif 000002
【特許請求の範囲】
【請求項１】
エレベータのカゴおよび各乗場フロアの少なくとも一方にコンテンツを表示する表示器と、前記表示器に表示するコンテンツを記憶する記憶手段とを備えたエレベータであって、
前記記憶手段に記憶するコンテンツは、映画の予告編もしくはテレビ番組の予告編である、エレベータ。
【請求項２】
エレベータのカゴの出発階から行先階までの運行時間を予測する制御手段と、表示の開始から表示の終了までの表示所要時間にはそれぞれ異なる所定の時間を要するコンテンツを複数記憶する記憶手段と、前記コンテンツを前記エレベータのカゴに表示する表示器と、を備えたエレベータであって、
前記予測した運行時間に対し前記コンテンツの表示所要時間が最適であるコンテンツを前記複数のコンテンツの中から選定する選定手段を備える、エレベータ。
【請求項３】
前記エレベータのカゴにはカゴ入力手段を備えており、
前記選定手段により選定されたコンテンツを前記表示器へ表示中に、前記カゴ入力手段が前記行先階と異なる新たな行先階への入力を受け付けると、前記制御手段は前記行先階から新たな行先階までの新たな運行時間を予測するとともに、前記選定手段は前記予測した新たな運行時間に対しコンテンツの表示所要時間が最適であるコンテンツを前記複数のコンテンツの中から選定する、請求項２に記載のエレベータ。
【請求項４】
エレベータのカゴの出発階から行先階までの運行時間を予測する制御手段と、表示の開始から表示の終了までの表示所要時間にはそれぞれ異なる所定の時間を要するコンテンツを複数記憶する記憶手段と、前記コンテンツを前記エレベータの各乗場フロアに表示する表示器と、を備えたエレベータであって、
前記予測した運行時間に対し前記コンテンツの表示所要時間が最適であるコンテンツを前記複数のコンテンツの中から選定する選定手段を備える、エレベータ。
【請求項５】
前記エレベータはカゴ重量検出手段を備えており、検出した重量に対応する所定の時間を前記予測した運行時間に加算する、請求項２〜４のいずれか１項に記載のエレベータ。
【請求項６】
前記エレベータは通信回線と接続する外部通信手段を備えており、前記通信回線を介して外部情報源から各種コンテンツを取得するとともに、前記記憶手段に記憶する、請求項２〜５のいずれか１項に記載のエレベータ。
【請求項７】
前記コンテンツは、映画の予告編もしくはテレビ番組の予告編である、請求項２〜６のいずれか１項に記載のエレベータ。
【発明の詳細な説明】
【技術分野】
【０００１】
本発明は、エレベータのカゴおよび各乗場フロアの少なくとも一方に表示器を備えるエレベータに関し、詳しくは、カゴの出発階から行先階までの運行中にまたは各乗場フロアからカゴを呼出中にコンテンツを表示器に表示するエレベータに関する。
【背景技術】
【０００２】
この種のエレベータは、例えば特許文献１に開示されている技術が既に知られている。
この技術では、エレベータは、カゴの内部に乗客が見ることができるよう表示器を備えており、その表示器にスーパーの広告、またはスポーツニュースや地域の天気予報等の実用的有用情報などを表示していた。
【特許文献１】特開２００２−１０４７４７号公報
【発明の開示】
【発明が解決しようとする課題】
【０００３】
しかしながら、上述したエレベータに表示する広告や実用的有用情報は、見てもつまらないものが多く、興趣に欠けるものが多い。すなわち、多くの乗客にとっては、興味を抱きにくい内容であった。
本発明は、このような課題を解決しようとするもので、その目的は、乗車中に乗客が見て楽しく面白く感じるコンテンツを表示するエレベータを提供することである。
また、本エレベータを設置している建物（いわゆるビル）の運営側にとっては、エレベータを利用する人々の好評を得ることが一因となって、その建物の集客やテナント率の向上に寄与することが期待できる、すなわちそのようなビジネス手法的利点を期待できるエレベータの提供をも課題とする。
【課題を解決するための手段】
【０００４】
本発明は、上記の目的を達成するためのものであって、以下のように構成されている。
請求項１に記載の発明は、エレベータのカゴおよび各乗場フロアの少なくとも一方にコンテンツを表示する表示器と、前記表示器に表示するコンテンツを記憶する記憶手段とを備えたエレベータであり、前記記憶手段に記憶するコンテンツは、映画の予告編もしくはテレビ番組の予告編である。そのため乗客がカゴに乗車中およびカゴを呼出中の少なくともいずれか一方において、映画の予告編もしくはテレビ番組の予告編を見ることができる。したがって、乗客はカゴの運行中やカゴを待つ時間に退屈を紛らわせることができる。すなわち、乗客は、選りすぐった良いシーンからなることが多い予告編映像を見て楽しく面白く感じる。また、ビルの運営側にとっても上述した利点を期待できる。
【０００５】
請求項２に記載の発明は、エレベータのカゴの出発階から行先階までの運行時間を予測する制御手段と、表示の開始から表示の終了までの表示所要時間にはそれぞれ異なる所定の時間を要するコンテンツを複数記憶する記憶手段と、前記コンテンツを前記エレベータのカゴに表示する表示器とを備えおり、前記予測した運行時間に対し前記コンテンツの表示所要時間が最適であるコンテンツを前記複数のコンテンツの中から選定する選定手段を備える構成である。そのため、予測したカゴの運行時間に最適なコンテンツを選定して表示器に表示できる。したがって、乗客はカゴに乗車中に退屈に感じることがないし、乗車途中で興趣をそがれることもない。また、ビルの運営側にとっても上述した利点を期待できる。
【０００６】
請求項３に記載の発明は、請求項２に記載のエレベータであって、前記エレベータのカゴにはカゴ入力手段を備えており、前記選定手段により選定されたコンテンツを前記表示器へ表示中に、前記カゴ入力手段が前記行先階と異なる新たな行先階への入力を受け付けると、前記制御手段は前記行先階から新たな行先階までの新たな運行時間を予測するとともに、前記選定手段は前記予測した新たな運行時間に対しコンテンツの表示所要時間が最適であるコンテンツを前記複数のコンテンツの中から選定する構成である。そのため、例えば乗員が「１階」からカゴに乗車して「５階」まで運行中に、「３階」から新たな乗員がカゴに乗車しても、先に乗車した乗員の予測運行時間に基づいてコンテンツは表示される。また、ビルの運営側にとっても上述した利点を期待できる。
【０００７】
請求項４に記載の発明は、エレベータのカゴの出発階から行先階までの運行時間を予測する制御手段と、表示の開始から表示の終了までの表示所要時間にはそれぞれ異なる所定の時間を要するコンテンツを複数記憶する記憶手段と、前記コンテンツを前記エレベータの各乗場フロアに表示する表示器とを備えており、前記予測した運行時間に対し前記コンテンツの表示所要時間が最適であるコンテンツを前記複数のコンテンツの中から選定する選定手段を備える構成である。そのため、予測したカゴの待ち時間に最適なコンテンツを選定して表示器に表示できる。したがって、乗客はカゴの待ち時間に退屈に感じることがない。また、ビルの運営側にとっても上述した利点を期待できる。
【０００８】
請求項５に記載の発明は、請求項２〜４のいずれか１項に記載のエレベータであって、前記エレベータはカゴ重量検出手段を備えており、検出した重量に対応する所定の時間を前記予測した運行時間に加算する構成である。そのためカゴに乗車した乗客の総重量を検出できる。したがって検出した重量が重ければ、カゴに乗車している乗客の人数が多いと判断し、降車に時間を多く要するため予測する運行時間を長くでき、より正確な運行時間を予測できる。また、ビルの運営側にとっても上述した利点を期待できる。
【０００９】
請求項６に記載の発明は、請求項２〜５のいずれか１項に記載のエレベータであって、前記エレベータは通信回線と接続する外部通信手段を備えており、前記通信回線を介して外部情報源から各種コンテンツを取得するとともに、前記記憶手段に記憶する構成である。そのため外部通信手段と接続する制御手段は、通信回線を介して外部情報源から各種コンテンツをダウンロードして記憶手段に記憶できる。したがって、記憶しているコンテンツが古くなれば、新たに最新のコンテンツを取得できる。また、ビルの運営側にとっても上述した利点を期待できる。
【００１０】
請求項７に記載の発明は、請求項２〜６のいずれか１項に記載のエレベータであって、前記コンテンツは、映画の予告編もしくはテレビ番組の予告編である。そのため乗客はコンテンツを退屈と感じることはない。また、そのコンテンツが近日上映予定の映画の予告編であれば、宣伝広告にもなる。また、ビルの運営側にとっても上述した利点を期待できる。
【発明を実施するための最良の形態】
【００１１】
以下、本発明を実施するための最良の形態を、図面を用いて説明する。
（実施例１）
まず本発明の実施例１について図１〜４を用いて説明する。
図１は、本発明に係るエレベータの内部構成を表す一実施の形態のブロック図である。また図２は、本発明に係るエレベータの出発階から行先階までに要する運行時間を表すデータベースである。また図３は、本発明に係るエレベータの記憶手段１２に記憶する各コンテンツを表すデータベースである。なお本発明に係るエレベータは、従来から良く知られている出発階から行先階までの運行時間を予測できる一般的なエレベータ（例、いわゆる群管理エレベータ）を利用している。また、１階から１０階までの各フロアに停止できるエレベータを例に説明する。なお、各実施例に記載の「カゴ表示器１３」または「フロア表示器１７」が、本発明の「表示器」に相当する。
【００１２】
図１に示すように、エレベータは制御手段１１と記憶手段１２とカゴ表示器（例えば、スピーカを備えた液晶モニタ等）１３と選定手段１４とカゴ入力手段１５とフロア入力手段１６とを備えている。そして制御手段１１は、記憶手段１２およびカゴ表示器１３および選定手段１４およびカゴ入力手段１５とフロア入力手段１６と各々電気的に接続してある。このカゴ入力手段１５とは、例えばエレベータのカゴの内部に付設してあり乗客が所望する行先階を入力できるスイッチ盤である。また、このフロア入力手段１６とは、１階から１０階までの各フロアに付設してあるとともにエレベータの呼び出しを入力できるスイッチ盤であり、１階に付設してあるものをフロア入力手段１６ａとし、２階に付設してあるものをフロア入力手段１６ｂとし、…１０階に付設してあるものをフロア入力手段１６ｊとする。
【００１３】
また記憶手段１２は、運行時間データベース３０（図２参照）、コンテンツデータベース４０（図３参照）を記憶している。
この運行時間データベース３０とは、出発階と行先階との全ての組み合わせに対してカゴの運行に必要な時間を記憶しているデータベースであり、例えばカゴの出発階が「１階」で行先階が「５階」であれば、運行時間は「４秒」要する。またコンテンツデータベース４０とは、複数のコンテンツ（例えば、映画の予告編もしくはテレビ番組の予告編等）をそれら各コンテンツの表示に要する時間に対応付けて記憶しているデータベースであり、例えばコンテンツ「Ａ」は、表示に「１秒」要し、コンテンツ「Ｂ」は、表示に「２秒」要し、…コンテンツ「Ｐ」は、表示に「１６秒」要するコンテンツである。
【００１４】
そして制御手段１１は、乗客の入力操作によってカゴ入力手段１５から入力を受け付けると、現在、カゴが停止している階を出発階としその出発階から受け付けた行先階までの要する運行時間を予測する。また制御手段１１は、記憶手段１２に記憶の制御プログラムにより図示しない駆動手段へ出発階から行先階までカゴを昇降させるための運転指令を送信する。
【００１５】
また選定手段１４は、制御手段１１が出発階から行先階までの予測した運行時間に基づいて、記憶手段１２に記憶のコンテンツデータベース４０からコンテンツの表示所要時間が最適なコンテンツを選定する。
【００１６】
この最適なコンテンツを選定するとは、例えばカゴが「１階」で停止している状態で、乗客がカゴに乗車しカゴ入力手段１５から行先階を「５階」と入力すると、まず制御手段１１はカゴの運行時間を「４秒」と予測する。カゴが途中階、この場合、２階、３階または４階で停止しないものとすると、次に選定手段１４は、表示所要時間が「４秒」であるコンテンツ「Ｄ」を選定する。そしてエレベータは「１階」から「５階」へ運行し、その運行中にカゴ表示器１３へコンテンツ「Ｄ」を表示する。このようにして選定手段１４は、最適なコンテンツ、すなわちカゴの運行時間とコンテンツの表示所要時間が同じとなるコンテンツを選定する。
カゴが途中階、この場合、２階、３階または４階のうち、少なくとも一つの階で停止する場合、制御手段１１は、その停止のために要する時間を前記「４秒に」加味して、到着予測時間とする。例えば、一つの階への停止で、非停止の場合の＋６秒余分に時間が掛かるものとし、その到着時間に応じたコンテンツを選定して表示する。従来のように、一つの階から別の一つの階への到着時間の実測値だけに頼って、表示コンテンツを選定するのではない。本発明では、カゴを呼んだ時点もしくは行先階を登録した時点での、そのエレベータシステムの制御手段１１が取得し得る諸情報から算出する到着予想時間に応じて表示コンテンツを選定する。
【００１７】
そして、カゴ表示器１３は、乗客が目視できるようにカゴの内部に備えられており、上述した選定手段１４により選定されたコンテンツを表示する。
【００１８】
上述したように、カゴの運行時間（所定トリガ入力時点での到着予想時間）に合うコンテンツを乗客に提供できる。そのため、コンテンツの表示途中に乗客が所望する行先階にカゴが到着して、コンテンツの表示途中であるにもかかわらず乗客がカゴから降りなければならない状態が発生することなく、また逆にコンテンツの表示終了後も乗客の所望する行先階へカゴが到着していない状態、すなわち乗客を乗せてカゴが運行中であるのにもかかわらずコンテンツを表示していない状態が発生することもない。またコンテンツの内容が特に映画の予告編もしくはテレビ番組の予告編である場合、従来の広告や実用的有用情報とは異なり、その制作にお金莫大な費用が掛かっており、映像が面白いことが多い。特に、映画の場合、本編よりも予告編のほうが面白いことがあることは、多々経験することである。よって、本発明を実施すると、エレベータに乗車中の乗客を退屈に感じさせることはない。一方、ビルの運営側にとっても上述した集客やテナント率の向上といったビジネス手法的利点を期待できる。なぜかというと、他の本発明を導入していないビルに比べて、エレベータの乗客が増えるからであり、乗客が増えるということは集客が増えるということであり、集客が増えるということはテナントしたい店舗やオフィスが増えるということであるからである。もし、そのビルがいわゆるマンションであるなら、入居率の向上が期待できるであろう。
【００１９】
（実施例２）
つづいて、本発明の実施例２を説明する。
この実施例２は、既に説明した実施例１と比較して、乗客が乗車した出発階から所望する行先階までの途中のフロアから新たな乗客が乗車した場合の構成である。
【００２０】
実施例１と同様に、例えば乗客Ａが「１階」からカゴに乗車して行先階が「５階」である場合について説明する。カゴが「１階」から「５階」へ運行中は、制御手段１１は運行時間を「４秒」と予測するため選定手段１４が選定したコンテンツ「Ｄ」をカゴ表示器１３は表示している。その運行中に、「３階」フロアから新たな乗客Ｂが乗車し、その新たな乗客Ｂの所望する行先階が「８階」である場合、制御手段１１は「３階」から「８階」までの運行時間を「５秒」と予測する。もし、運行時間がそのまま「５秒」でよいなら、選定手段１４は、コンテンツ「Ｅ」を選定する。しかし、制御手段１１によって、乗客Ａのために「５階」に到着するまでコンテンツ「Ｄ」の表示が実行されているため、コンテンツ「Ｅ」を表示することができない。そのため制御手段１１は、乗客Ａが降車する「５階」から乗客Ｂが降車する「８階」までの運行時間を「３秒」と予測し、選定手段１４は、コンテンツ「Ｃ」を選定する。このようにして、乗客Ａが「１階」から「５階」までカゴに乗車中に「３階」から乗客Ｂが乗車してきても、先に乗車している乗客Ａのためのコンテンツの表示が優先され、その後、後に乗車した乗客Ｂのためのコンテンツが表示される。
【００２１】
（実施例３）
つづいて、本発明の実施例３を説明する。
この実施例３は、既に説明した実施例１と比較して、カゴの行先階が複数となる場合である。そして、複数の各行先階までのカゴの各運行時間をそれぞれ予測し、その予測した各運行時間ごとに選定手段１４がコンテンツを選定する構成である。また、以下の説明にあたっては、実施例１と同一もしくは均等な構成の機器には図面において同一符号を付すことで、重複する説明は省略する。また、これらについては、後述する実施例３以降も同様である。
【００２２】
乗客が複数人カゴに乗車し、行先階が複数となる場合、例えばカゴの出発階が「１階」で行先階が「５階」と「８階」であれば、制御装置１１は、「１階」から「５階」までの運行時間と「５階」から「８階」までの運行時間をそれぞれ予測する。すると運行時間データベース３０から、「４秒」と「３秒」と予測される。そして選定手段１４は、「１階」から「５階」までの運行中には、運行時間が「４秒」であるためコンテンツ「Ｄ」を選定し、同様に「５階」から「８階」までの運行中には、運行時間が「８秒」であるためコンテンツ「Ｃ」を選定する。そしてカゴ表示器１３は、カゴが１階から５階へ運行中にはコンテンツ「Ｄ」を表示し、カゴが５階から８階へ運行中にはコンテンツ「Ｃ」を表示する。
【００２３】
（実施例４）
つづいて、本発明の実施例４を説明する。
この実施例４は、既に説明した実施例３と同じくカゴの行先階が複数の場合である。しかし、選定手段１４が実施する選定が、乗客が入力するカゴ入力手段１５の入力順に基づいてコンテンツを選定する構成である。
【００２４】
実施例２と同様にカゴの出発階が「１階」で行先階が「５階」と「８階」の例で説明する。
カゴの出発階が「１階」で行先階が「５階」と「８階」であれば、制御装置１１は、カゴ入力手段１５の入力において「５階」と「８階」のどちらが先に入力されたかを判断し、先に入力を受け付けた行先階に対して運行時間を予測する。例えば、制御装置１１は「８階」が先に入力され「５階」が後に入力されたと判断すると、「１階」から「８階」までの運行時間を予測する。すると運行時間データベースからは、「７秒」と予測される。そして選定手段１４は、運行時間が「７秒」であるためコンテンツ「Ｇ」を選定する。そしてカゴ表示器１３は、カゴが「１階」から「５階」および「５階」から「８階」へ運行中にはコンテンツ「Ｇ」を表示する。このようにすると、表示所要時間が長時間のコンテンツを表示することもできる。なお、この場合は５階で降りる乗客はコンテンツの表示途中で降りることになる。
【００２５】
逆に、制御装置１１は「５階」が先に入力され「８階」が後に入力されたと判断すると、「１階」から「５階」までの運行時間と「５階」から「８階」までの運行時間をそれぞれ予測し、それぞれ予測した運行時間に応じたコンテンツをそれぞれカゴ表示器１３へ表示する。
【００２６】
（実施例５）
つづいて、本発明の実施例５について図４〜５を用いて説明する。
図４は、本発明に係るエレベータの内部構成を表す一実施の形態のブロック図である。また図５は、本発明に係るエレベータのカゴ重量検出手段１８が検出した重量に対応付けて所定の時間を加算する加算時間を表すデータベースである。この実施例４は、既に説明した実施例３のカゴの重量を検出する構成であり、その検出した重量に対応する所定の時間を予測したカゴの運行時間に加算する構成である。
【００２７】
図４に示すように、図１と比較してエレベータは、さらにカゴ重量検出手段１８を備えている。そして制御手段１１はカゴ重量検出手段１８と電気的に接続してある。このカゴ重量検出手段１８とは、カゴに乗車した乗客の総重量を検出できる機器である。
【００２８】
また記憶手段１２は、さらに重量加算時間データベース５０（図５参照）を記憶している。この重量加算時間データベース５０とは、カゴ重量検出手段１８が検出した重量に対応付けて予測するカゴの出発階から行先階までの運行時間に加算する所定の時間を記憶しているデータベースであり、例えば検出重量が「〜７５（ｋｇ）」までならば、加算時間を「１秒」とし、検出重量が「７５〜１５０（ｋｇ）」までならば、加算時間を「２秒」とし、…検出重量が「５５０〜（ｋｇ）」を超えれば、加算時間を「７秒」とする。そして制御手段１１は、カゴ重量検出手段１８が検出した重量に基づいて、予測したカゴの運行時間にこの所定の時間を加算する。
【００２９】
そのため、例えばカゴの出発階が「１階」で行先階が「５階」と「８階」であれば、制御装置１１は、カゴ入力手段１５の入力において「５階」と「８階」のどちらが先に入力されたかを判断し、先に入力を受け付けた行先階に対して運行時間を予測するとともに、その予測した運行時間にこの所定の時間を加算する。そして例えば、制御装置１１は「８階」が先に入力され「５階」が後に入力され、またカゴの重量が「１００ｋｇ」であると判断すると、まず「１階」から「８階」までの運行時間を予測する。すると制御手段１１は、運行時間データベース３０から「７秒」と予測する。また制御手段１１は、重量加算時間データベース５０から、加算する所定の時間を「２秒」と算出する。
【００３０】
そのため制御手段１１は、予測した運行時間「７秒」に所定の時間「２秒」を加算して運行時間を「９秒」と予測する。したがって選定手段１４は、運行時間が「９秒」となるためコンテンツ「Ｉ」を選定する。そしてエレベータは「１階」から「５階」および「５階」から「８階」へ運行し、その運行中にカゴ表示器１３へコンテンツ「Ｉ」を表示する。このようにしてカゴの重量を検出すると、制御手段１１は検出重量が重ければ乗客数が多いと判断しカゴからの降車に多くの時間を要すると判断し、行先階までの予測する運行時間を長くすることで、より正確な運行時間を予測できる。
【００３１】
（実施例６）
つぎに、図６を用いて本発明の実施例６を説明する。
図６は、本発明に係るエレベータの内部構成を表す一実施の形態のブロック図である。この実施例５は、既に説明した実施例１と比較して、表示器をカゴの内部ではなく各フロアに備えている。そのため、他フロアに停止しているカゴを呼び出した呼出者が、その呼び出し中にフロアに備えた表示器でコンテンツを見ることができる構成である。
【００３２】
図６に示すように、図１と比較してエレベータはカゴ表示器１３の代わりにフロア表示器（例えば、スピーカを備えた液晶モニタ等）１７を備えている。そして制御手段１１は、フロア表示器１７と電気的に接続してある。このフロア表示器１７とは、１階から１０階までの各乗場フロアごとに、カゴを呼び出した呼出者が目視できるように備えてあるとともに、選定手段１４により選定されたコンテンツを表示しており、１階に付設してあるものを１階フロア表示器１７ａとし、２階に付設してあるものを２階フロア表示器１７ｂとし、…１０階に付設してあるものを１０階フロア表示器１７ｊとする。
【００３３】
そして、例えばカゴが「１０階」に停止しており、「１階」からフロア入力手段１６ａによってカゴを呼び出すと、制御装置１１は、「１０階」から「１階」までの運行時間を予測する。すると運行時間データベースからは、「９秒」と予測される。そして選定手段１４は、運行時間が「９秒」であるためコンテンツ「Ｉ」を選定する。そして、そのカゴを呼び出し中、１階のフロア表示器１７ａはコンテンツ「Ｉ」を表示する。
【００３４】
このようにして、カゴを呼び出し中の待ち時間に合うコンテンツを呼出者に提供できる。そのため、コンテンツが表示中であるのにカゴが到着する状態が発生することなく、また逆にコンテンツの表示終了後でも未だカゴが到着していない状態が発生することもない。またコンテンツの内容が映画の予告編もしくはテレビ番組の予告編であるため、エレベータに乗車中の乗客を退屈に感じさせることはない。
【００３５】
（実施例７）
つぎに、図７を用いて本発明の実施例７を説明する。
図７は、本発明に係るエレベータの内部構成を表す一実施の形態のブロック図である。この実施例６は、既に説明した実施例１と比較して、記憶手段１２に記憶するコンテンツを通信回線２０を介して外部情報源２１からダウンロードしている構成である。
【００３６】
図７に示すように、図１と比較してエレベータは、さらに外部通信手段１９を備えている。そして制御手段１１は外部通信手段１９と電気的に接続してある。この外部通信手段１９とは、通信回線（例えば、インターネット等）２０を介して外部情報源（外部サーバー等）２１と接続する機器である。
【００３７】
この外部通信手段１９により、制御手段１１は外部情報源２１と通信可能となり、最新のコンテンツ、未蓄積のコンテンツを随時、外部情報源２１からダウンロードし記憶手段１２に記憶できる。特に映画の予告編ファイルなどは、インターネットから無料でダウンロロードできるものも多いので、便利である。つまり、エレベータの運営者は、自分でコンテンツを制作ないし製作する必要がない。また、従来のように広告提供もととの交渉も料金の徴収も必要ない。もちろん、エレベータシステムの制御部は、広告表示時間に応じた広告提供もとへ請求する料金の算出も必要ない。よって、低コストな装置で安価にエレベータでの表示方式を実現できる。
【００３８】
上述した内容は、あくまでも本発明の一実施の形態に関するものであって、本発明が上記内容に限定されることを意味するものではない。
実施例１〜５では、カゴの乗客へコンテンツを表示する構成、実施例６ではカゴの呼出者へコンテンツを表示する構成をそれぞれ説明したが、これら個々に限定されるものでなく、実施例１〜５のいずれか１つの実施例と実施例６を組み合わせた構成でも構わない。
【００３９】
また実施例７では、実施例１に対して外部通信手段１９を追加している構成を例に説明したが、これに限定されるものでなく、例えば実施例２〜６のいずれか１つの実施例に対して外部通信手段１９を追加している構成でも構わない。
【図面の簡単な説明】
【００４０】
【図１】本発明に係るエレベータの内部構成を表す一実施の形態のブロック図である（実施例１〜４）。
【図２】本発明に係るエレベータの出発階から行先階までに要する運行時間を表すデータベースである。
【図３】複数のコンテンツをそれら各コンテンツの表示に要する時間に対応付けて記憶しているデータベースである。
【図４】本発明に係るエレベータの内部構成を表す一実施の形態のブロック図である（実施例５）。
【図５】本発明に係るエレベータのカゴ重量検出手段１８が検出した重量対応付けて所定の時間を加算する加算時間を表すデータベースである。
【図６】本発明に係るエレベータの内部構成を表す一実施の形態のブロック図である（実施例６）。
【図７】本発明に係るエレベータの内部構成を表す一実施の形態のブロック図である（実施例７）。
【符号の説明】
【００４１】
１１   制御手段
１２   記憶手段
１３   カゴ表示器
１４   選定手段
１５   カゴ入力手段
１６   フロア入力手段
１７   フロア表示器
１８   カゴ重量検出手段
１９   外部通信手段
２０   通信回線
２１   外部情報源
【図１】
2005179006.tif 000003
【図２】
2005179006.tif 000004
【図３】
2005179006.tif 000005
【図４】
2005179006.tif 000006
【図５】
2005179006.tif 000007
【図６】
2005179006.tif 000008
【図７】
2005179006.tif 000009